(57)【要約】      （修正有）【課題】衣服開発におけるコンピュータ支援によるパターンドラフティング（平面製図）のための方法、装置およびコンピュータプログラム製品を提供する。【解決手段】人体形状１１０の異なる複数の２次元スライス画像１３０の取得につづいて、衣服のパターンの一部のパネルがデータ処理装置での処理のために選択され、選択されたパネル用のメトリック（計量）計算規則が、複数の２次元スライス画像のうちの１枚に対応づけされる。複数の２次元スライス画像のうちの１枚の計測値が次に得られ、取得された計測値を使用して前記対応づけされたメトリック（計量）計算規則を適用することで、選択されたパネルの寸法が生成される。【選択図】図１
2018028898.tif 000002
【特許請求の範囲】
【請求項１】
人体形状の異なる複数の２次元スライス画像を取得して、コンピュータのメモリに入れることと、
前記コンピュータのプロセッサが、衣服のパターンの一部のパネルを選択することと、
前記コンピュータの前記プロセッサが、前記選択されたパネル用のメトリック（計量）計算規則を前記複数の２次元スライス画像のうちの１枚に対応づけすることと、
前記コンピュータの前記プロセッサが、前記複数の２次元スライス画像のうちの前記１枚の計測値を取得することと、
前記コンピュータの前記プロセッサが、前記取得された計測値を使用して前記対応づけされたメトリック（計量）計算規則を適用し、前記選択されたパネルの寸法を生成することと
を含むパターン製作の方法。
【請求項２】
前記パネルは前記衣服のサドルの部分を形成すること
を特徴とする請求項１に記載のパターン製作の方法。
【請求項３】
前記取得された計測値は、前記２次元スライス画像の外周部の曲がりの角度であること
を特徴とする請求項１に記載のパターン製作の方法。
【請求項４】
前記取得された計測値は、前記２次元スライス画像の外周部の長さであること
を特徴とする請求項１に記載のパターン製作の方法。
【請求項５】
前記曲がりの角度の変化をモニタし、それが閾値になると、前記複数の２次元スライス画像のうちの別の１枚を選択することと、
前記選択されたパネル用の別のメトリック（計量）計算規則を、前記複数の２次元スライス画像のうちの別の１枚に対応づけすることと、
前記複数の２次元スライス画像のうちの前記別の１枚の計測値を取得することと、
前記複数の２次元スライス画像のうちの前記別の１枚の前記取得され計測値を使用して前記対応づけされた別のメトリック（計量）計算規則を適用し、前記選択されたパネルの別の寸法を生成することと
をさらに含む請求項３に記載のパターン製作の方法。
【請求項６】
メモリと少なくとも１つのプロセッサを備える１または複数のコンピュータを備えるホスト計算システムと、
前記ホスト計算システムに連結され、人体形状の異なる複数の２次元スライス画像を記憶するデータストアと、
前記ホスト計算システムの前記メモリ内で実行されるパターン生成モジュールであって、前記パターン生成モジュールはプログラムコードを含み、前記プログラムコードが実行されると、前記プログラムコードは、衣服のパターンの一部のパネルを選択し、前記選択されたパネル用のメトリック（計量）計算規則を前記複数の２次元スライス画像のうちの１枚に対応づけし、前記複数の２次元スライス画像のうちの前記１枚の計測値を取得し、前記取得された計測値を使用して前記対応づけされたメトリック（計量）計算規則を適用して、前記選択されたパネルの寸法を生成することができる
パターン製作用に構成されたデータ処理装置。
【請求項７】
前記パネルは、前記衣服のサドルの部分を形成すること
を特徴とする請求項６に記載のデータ処理装置。
【請求項８】
前記取得された計測値は、前記２次元スライス画像の外周部の曲がりの角度であること
を特徴とする請求項６に記載のデータ処理装置。
【請求項９】
前記取得された計測値は、前記２次元スライス画像の外周部の長さであること
を特徴とする請求項６に記載のデータ処理装置。
【請求項１０】
前記プログラムコードは実行されると、曲がりの角度の変化をモニタし、それが閾値になると、前記複数の２次元スライス画像のうちの別の１枚を選択し、前記選択されたパネル用の別のメトリック（計量）計算規則を前記複数の２次元スライス画像のうちの別の１枚に対応づけし、前記複数の２次元スライス画像のうちの前記別の１枚の計測値を取得し、前記複数の２次元スライス画像の前記別の１枚の前記取得された計測値を使用して前記対応づけされた別のメトリック（計量）計算規則を適用して、前記選択されたパネルの別の寸法を生成することがさらにできること
を特徴とする請求項８に記載のデータ処理装置。
【請求項１１】
パターン製作用のコンピュータプログラム製品であって、前記コンピュータプログラム製品はともに具現化されるプログラム命令を有する非一時的コンピュータ読取可能記憶媒体を含み、前記プログラム命令は装置によって実行可能で、前記装置に方法を実行させ、前記方法は、
人体形状の異なる複数の２次元スライス画像を取得することと、
衣服のパターンの一部のパネルを選択することと、
前記選択されたパネル用のメトリック（計量）計算規則を前記複数の２次元スライス画像のうちの１枚に対応づけすることと、
前記複数の２次元スライス画像のうちの前記１枚の計測値を取得することと、
前記取得された計測値を使用して前記対応づけされたメトリック（計量）計算規則を適用して、前記選択されたパネルの寸法を生成することと
を含むコンピュータプログラム製品。
【請求項１２】
前記パネルは前記衣服のサドルの部分を形成すること
を特徴とする請求項１１に記載のコンピュータプログラム製品。
【請求項１３】
前記取得された計測値は、前記２次元スライス画像の外周部の曲がりの角度であること
を特徴とする請求項１１に記載のコンピュータプログラム製品。
【請求項１４】
前記取得された計測値は、前記２次元スライス画像の外周部の長さであること
を特徴とする請求項１１に記載のコンピュータプログラム製品。
【請求項１５】
前記方法は、曲がりの角度の変化をモニタし、それが閾値になると、前記複数の２次元スライス画像のうちの別の１枚を選択し、前記選択されたパネル用の別のメトリック（計量）計算規則を前記複数の２次元スライス画像のうちの前記別の１枚に対応づけし、前記複数の２次元スライス画像のうちの前記別の１枚の計測値を取得し、前記複数の２次元スライス画像のうちの前記別の１枚の前記取得された計測値を使用して前記対応づけされた別のメトリック（計量）計算規則を適用して、前記選択されたパネルの別の寸法を生成することをさらに含むこと
を特徴とする請求項１３に記載のコンピュータプログラム製品。
【発明の詳細な説明】
【技術分野】
【０００１】
本発明は、コンピュータ支援による衣服開発に関し、より詳細には、衣服開発におけるパターンドラフティング（平面製図）に関する。
【背景技術】
【０００２】
縫製および服飾設計において、パターンとは型紙のことであり、前記型紙を生地に置いて、前記型紙の周縁を生地上でなぞり、生地のなぞられた部分を切断し、生地の切断部分を組み合わせて衣服にすることによって、衣服の複数の部分が作られる。パターンは通常、紙で形成され、繰り返しの使用に耐えるように、板紙や厚紙等のより剛性の高い材料で形成されることもある。パターンを製作または切断するプロセスは、「パターンメーキング（patternmaking）」として知られ、パターンを起こす２つの方法のうちの一方を通常用いるパタンナーによって、従来行われてきた。１つ目の方法は、平面作図法として知られ、定規、カーブ定規、直定規を用いて複数の計測値からパターン全体を平面に製図する方法である。２つ目の方法は、ドレーピング（立体裁断法）として知られ、生地を直接、人体形状にピン止めすることによって、モスリンの原寸模型のパターンを起こし、続いてモスリンの輪郭線およびマーキングを紙のパターン上に転写、またはモスリンをパターンそのものとして用いる。
【０００３】
計算機の登場により、パターン製作は一新した。今日では、パタンナーが、計算によりパターンが生成される元となる種々の計測値を、データ処理装置内でデータ入力として種々のコンピュータアプリケーションに与えることが可能となることによって、パターンを起こす作業が容易になっている。パターン製作を対象とするほとんどのコンピュータ支援設計（ＣＡＤ）アプリケーションによって、さらに、パタンナーがとりわけ個人の計測値にフィットさせることが可能となり、以前は裁縫室でよく見られた仮縫いのトライアンドエラーの多くがなくなった。実際のところ、計算機の計算能力により、衣服の設計方法が大幅に容易になることで、大量生産の衣料品だけでなく、「注文仕立て（bespoke）」品として知られる顧客の個別の特別注文の衣服の製作もより容易に支援されるようになった。とりわけ、コンピュータ支援製造（ＣＡＭ）の技術を利用することで、ＣＡＤアプリケーションによって、織り機または縫製機を直接的に駆動させ複数のパネルを組み立てることができるのと同様に、機械的またはレーザー切断装置を直接駆動させ、正確に生地を切断し縫製される複数のパネルを生成することができる。
【０００４】
コンピュータによるパターン製作という背景の中で、コンピュータにより自動化されたパターン生成の近年の進歩は、３次元画像処理におけるコンセプトとして表現されている。具体的には、今日、３次元ボディスキャニングを利用して、個人の複数の計測値を取得することが知られている。通常、３次元ボディスキャニングは、スキャンされた人体形状をコンピュータ上で表示するために、レーザーイメージングを利用して行われる。スキャンされた人体形状を利用すると、衣服の表面が、コンピュータ表示内に映し出された人体形状の複数の寸法に関して画定される。いったん衣服の表面が画定されると、従来の大判プリンターを使用して紙媒体に印刷するための２次元パターンを生成することが、計算マッピングの課題となる。
【発明の概要】
【発明が解決しようとする課題】
【０００５】
しかしながら、３次元ボディスキャニングは人体形状の表面に関して正確な外周計測値のような特定の細部の情報を欠いていることに留意すべきである。同様に、３次元ボディスキャニングでは、人体形状の外周の曲がりに関する角度変化を容易に明らかにすることができない。それゆえ、３次元ボディスキャニングから生成されるパターンは、最適寸法の衣服を製造するのに望ましいとされる精度を欠いている。
【課題を解決するための手段】
【０００６】
本願発明の種々の実施形態は、コンピュータ支援による衣服製作に関する従来技術の欠陥に対処し、衣服開発におけるコンピュータ支援によるパターン製図のための新規で進歩性のある方法、装置およびコンピュータプログラム製品を提供するものである。本発明の一つの実施形態において、パターン製作の方法は、データストアに記憶された人体形状の異なる複数の２次元スライス画像を最初に取得する。その後、データ処理装置での処理のために衣服のパターンの一部のパネルが選択され、前記選択されたパネル用のメトリック（計量）計算規則が、前記複数の２次元スライス画像のうちの１枚に対応づけされる。次に、前記複数の２次元スライス画像のうちの前記１枚の計測値が取得され、前記取得された計測値を用いて、前記対応づけされたメトリック（計量）計算規則を適用することで、前記選択されたパネルの寸法が生成される。
【０００７】
本実施形態の一態様では、前記パネルは衣服のサドルまたは股の部分を形成する。他の種々の実施形態では、前記パネルは、衣服のパンツの脚、袖、襟、袖ぐり、袖口、ひじ、大腿または臀の部分を形成する。本実施形態の別の態様では、前記取得された計測値は前記２次元スライス画像の外周部の曲がりの角度である。本実施形態のさらに別の態様では、前記取得された計測値は前記２次元スライス画像の外周部の長さである。本実施形態のさらにまた別の態様では、曲がりの角度の変化をモニタし、それが閾値になると、前記複数の２次元スライス画像のうちの別の１枚が選択され、前記選択されたパネルに対する別のメトリック（計量）計算規則が、前記複数の２次元スライス画像のうちの別の１枚に対応づけされ、前記複数の２次元スライス画像のうちの前記別の１枚の計測値が取得され、前記複数の２次元スライス画像のうちの前記別の１枚の前記取得された計測値を使用して、前記対応づけされた別のメトリック（計量）計算規則を適用することで、前記選択されたパネルに対する別の寸法が生成される。
【０００８】
本発明の別の実施形態では、データ処理装置がパターン製作のために構成される。前記データ処理装置はホスト計算システムを含み、前記ホスト計算システムは１または複数のコンピュータを有し、各コンピュータはメモリと少なくとも１つのプロセッサを備える。前記データ処理装置はまた、データストアを含み、前記データストアは前記ホスト計算システムに連結され、断層画像によって直接的に、３次元画像を変換することによって間接的に、あるいは人体形状の特定の計測基準の規格を用いて完全に計算的に、のいずれかによって取得された人体形状の前記複数の２次元スライス画像を記憶する。最後に、前記データ処理装置は前記ホスト計算システムの前記メモリ内で実行されるパターン生成モジュールを有する。前記パターン生成モジュールはプログラムコード有し、前記プログラムコードは実行されると、衣服のパターンの一部のパネルを選択し、複数の２次元スライス画像のうちの１枚に前記選択されたパネルのメトリック（計量）計算規則を対応づけし、前記複数の２次元スライス画像のうちの前記１枚の計測値を取得し、前記取得された計測値を用いて前記対応づけされたメトリック（計量）計算規則を適用することができ、前記選択されたパネルの寸法が生成される。
【０００９】
本発明の他の種々の態様が、以下の説明において部分的に記載され、その記載から部分的に明らかとなる、あるいは本発明の実施によって習得されても良い。添付のクレームで特に示された構成要素および組み合わせを用いることで、本発明の種々の態様が実現および達成される。以上の概要および以下の詳細な説明はいずれも、例示的および説明的に過ぎず、クレームされている通りであり、本発明を限定するものではないことを理解されたい。
【図面の簡単な説明】
【００１０】
本明細書に組み込まれ、本明細書の一部を構成する添付の図面は、本発明の種々の実施形態を示し、明細書とともに、本発明の原理を説明する助けとなる。本明細書で示した種々の実施形態は、現在のところ望ましいが、本発明は図示されたとおりの配置や手段に限定されるものではないことを理解されたい。
【００１１】
【図１】図１は、複数の２次元スライス画像からパターンを生成するプロセスを絵で示すものである。
【図２】図２は、１枚の２次元断層スライス画像を衣服のパターンに対応づけするプロセスを絵で示すものである。
【図３】図３は、複数の２次元スライス画像からパターンを生成するために構成された衣服製造データ処理装置の模式図である。
【図４】図４は、複数の２次元スライス画像からパターンを生成するプロセスを示すフローチャートである。
【発明を実施するための形態】
【００１２】
本発明の種々の実施形態は、複数の２次元スライス画像からパターンを生成する方法を提供する。本発明の１つの実施形態によると、人体形状の複数の２次元（２Ｄ）スライス画像の１セットがデータストアから検索される。その後、前記複数の２次元スライス画像のうちの１枚が処理のために選択され、１または複数の計測値が前記選択された２次元スライス画像から取得される。前記１または複数の計測値とは、前記選択された２次元スライス画像の外周の長さ、前記選択された２次元スライス画像の外周の曲がりの角度、または前記選択された２次元スライス画像の外周の一部から前記外周の隣接部までの角度の変化などである。衣服のパターンに対する対応するパネルの１または複数の寸法を決定するために、次に１または複数の規則が前記複数の計測値に適用される。以降、他の複数の２次元スライス画像または前記パターンの他の複数のパネルに対して前記プロセスを繰り返すことができる。かくして、前記パターンの前記対応する複数のパネルの寸法が、前記選択された複数の２次元スライス画像によって部分的に示される人体形状に対して、適正化される。
【００１３】
さらに説明すると、図１は複数の２次元スライス画像からパターンを生成するプロセスを絵で示すものである。図１に示すように、人体形状１１０が磁気共鳴画像法（ＭＲＩ）スキャニング装置、コンピュータ支援断層撮影（ＣＴ）スキャニング装置等の、例えば、２次元断層画像装置などの画像装置１２０によって画像される。画像装置１２０による断層撮像の結果、複数の２次元スライス画像１３０の１セットが得られる。または、人体形状１１０が３次元画像装置によって撮像され、得られた３次元画像が計算的に処理され、複数の２次元スライス画像１３０の１セットが生成される。いずれの場合においても、次にパターン製作論理回路１７０が、１または複数の２次元スライス画像１３０を分析することで、１または複数の計測値が生成される。前記１または複数の計測値とは、２次元スライス画像１３０の外周部の一部の長さ、２次元スライス画像１３０の外周部の曲がりの角度、または２次元スライス画像１３０の外周部の曲がりの変化に対応する角度の変化などである。
【００１４】
次に、パターン製作論理回路１７０は、衣服１６０を画定する１または複数のパネル１６０Ａ、１６０Ｂ、１６０Ｃ、１６０Ｎの複数のパネル寸法１５０を生成するために、パネル１６０Ａ、１６０Ｂ、１６０Ｃ、１６０Ｎに対する複数の２次元スライス画像１３０のうちの対応する１枚の複数の計測値の各セットに、１または複数の規則１４０を適用する。その際、パネル１６０Ａ、１６０Ｂ、１６０Ｃ、１６０Ｎはそれぞれ、衣服１６０のサドルまたは股の部分を形成することができる、またはパネル１６０Ａ、１６０Ｂ、１６０Ｃ、１６０Ｎはそれぞれ、衣服１６０のパンツの脚、袖、襟、袖ぐり、袖口、ひじ、大腿もしくは臀の部分を形成することができる。規則１４０により、対応するパネル１６０Ａ、１６０Ｂ、１６０Ｃ、１６０Ｎの異なる複数の寸法が具体的に決定される。例えば、図２に示すように、２次元画像２１０の外周２２０の長さΛ、外周２２０の曲がりの角度Θ、曲がりの角度Θと外周２２０の隣接部の曲がりの角度Φとの差、または外周２２０に沿った角度ΘとΦの変化率の何れをも、複数の規則を用いて、パネル２００の１または複数の寸法２００Ａ、２００Ｂ、２００Ｃ、２００Ｄに対応づけすることができる。
【００１５】
かくして、図１に戻り、いったん複数のパネル寸法１５０が規則１４０に基づいて決定されると、パターン製作論理回路１７０は、人体形状１２０またはその一部分を覆う衣服１６０の適正なパターンになるように適用されたそれぞれのパネル寸法１５０を使って、印刷可能な形式の対応するパネル１６０Ａ、１６０Ｂ、１６０Ｃ、１６０Ｎで生成する。図１に示されるプロセスが、衣服製造データ処理装置で実行できることが重要である。さらなる説明において、図３は複数の２次元スライス画像からパターン生成のために構成される衣服製造データ処理装置を模式的に示すものである。
【００１６】
図３に示す装置は、ホスト計算システム３１０を含む。ホスト計算システム３１０は、１または複数のコンピュータを含み、それぞれのコンピュータはメモリと少なくとも１つのプロセッサ（説明の簡略のために単一のコンピュータのみ示している）を有する。ホスト計算システム３１０は、３次元レーザースキャナ、または２次元断層画像ＭＲＩスキャナもしくはＣＴスキャナ等の画像取得装置３２０に連結されている。画像処理プログラム３３０は、画像取得装置３２０およびホスト計算システム３１０と接続された状態で、ホスト計算システム３１０に連結された２次元画像データストア３４０中の種々の２次元画像スライスを生成し記憶するために実行される。その際、２次元断層画像装置が使用される限りにおいて、得られた複数の２次元スライス画像は２次元画像データストア３４０に直接、記憶される。それ以外の場合、つまり３次元画像装置が使用される限りにおいて、得られた３次元画像がホスト計算システム３１０によって計算的に処理され、複数の２次元スライス画像が得られ、その後、前記得られた複数の２次元スライス画像が２次元画像データストア３４０に記憶される。
【００１７】
パターン生成モジュール４００は、ホスト計算システム３１０のメモリ内で実行される。パターン生成モジュール４００は、プログラムコードを含み、前記プログラムコードが、ホスト計算システム３１０のプロセッサによってホスト計算システム３１０のメモリで実行されると、前記プログラムコードは、２次元画像データストア３４０から別の複数の２次元スライス画像を選択し、選択された２次元スライス画像それぞれに対し、１または複数の対応するパネルの１または複数の寸法を計算するよう、規則テーブル３６０の中の１または複数の規則を、選択された２次元スライス画像それぞれの複数の計測値に適用し、そして前記複数のパネルを有する生成されたパターンをパターン・データストア３５０に記憶することができる。なお、パターン生成モジュール４００の前記プログラムコードが、対応する２次元スライス画像の外周の一部分の長さの関数、対応する２次元スライス画像の外周の一部分の曲がりの角度の関数、または対応する２次元スライス画像の外周の一部分の曲がりの角度の変化の関数として、パターンのパネルの寸法を計算できるようにしてもよい。
【００１８】
パターン生成モジュールの４００の作動に関してさらに説明すると、図４は複数の２次元スライス画像からパターンを生成するプロセスを示すフローチャートである。ブロック４１０から始まり、パンツ、シャツ、またはジャケット等の衣服のタイプが指定されて、たった数個の例が示される。ブロック４２０では、１または複数のパネルから成るパターンが前記指定された衣服のタイプに基づいて選択される。ブロック４３０では、データストアに配置された複数の２次元スライス画像が処理のために検索され、ブロック４５０で、複数の２次元スライス画像のうちの最初の１枚が処理のために選択される。
【００１９】
その後、ブロック４５０で、選択された２次元スライス画像に対して第一の計測値がコンピュータ処理され、ブロック４６０で、前記計測値は前記パターンの特定のパネルに対応づけされる。ブロック４７０で、前記特定のパネルの寸法に関する前記特定の計測値を処理するための規則が検索され、ブロック４８０で、前記特定のパネルの寸法を計算するために、前記検索された規則が前記計測値に適用される。最後に、判定ブロック４９０において、前記選択された２次元スライス画像の他の計測値がコンピュータ処理されずに残っている場合、前記選択された２次元スライス画像の別の１つの計測値がコンピュータ処理されて前記プロセスがブロック４５０で繰り返される。
【００２０】
判定ブロック４９０において、前記選択された２次元スライス画像についてコンピュータ処理されないで残っている計測値がそれ以上ない場合、判定ブロック５００において、他の２次元スライス画像が処理されないで残っているか否かが判定される。処理すべき他の２次元スライス画像が残っている場合、ブロック５１０で次の２次元スライス画像が１枚、処理のために選択され、前記新たに選択された２次元スライス画像の新たな計測値がコンピュータ処理されてブロック４５０で前記プロセスが繰り返される。しかしながら、判定ブロック５００で、処理すべき他の２次元スライス画像が残っていないと判定されると、ブロック５２０で、確定された複数の寸法を有する複数のパネルの前記パターンがパターン・データストアに記憶され、前記プロセスが終了する。
【００２１】
本発明は、装置、方法、コンピュータプログラム製品、またはそれらの任意の組み合わせにおいて具現化することができる。前記コンピュータプログラム製品は、プロセッサに本発明の複数の態様を実行させるための複数のコンピュータ読取可能プログラム命令を有する１つ又は複数のコンピュータ読取可能記憶媒体を含むことができる。前記コンピュータ読取可能記憶媒体は、命令実行装置によって使用される複数の命令を保持し記憶することが可能な有形の装置とすることができる。しかしながら、前記コンピュータ読取可能記憶媒体は、電子記憶装置、磁気記憶装置、光学記憶装置、電磁記憶装置、半導体記憶装置または前記の装置の任意の適切な組み合わせとすることができるが、場合によってはそれらに限定されない。
【００２２】
本明細書に記載の複数のコンピュータ読取可能プログラム命令は、コンピュータ読取可能記憶媒体からそれぞれの計算／処理装置に、またはネットワークを介して外部コンピュータもしくは外部の記憶装置にダウンロードすることができる。前記複数のコンピュータ読取可能プログラム命令はユーザのコンピュータ上で完全に実行してもよいし、ユーザのコンピュータ上で部分的に実行してもよい。あるいは、スタンドアローンのソフトウェアパッケージとして、ユーザのコンピュータ上で部分的に、遠隔コンピュータ上で部分的に、または遠隔コンピュータもしくはサーバ上で完全に実行してもよい。本発明の種々の態様が、本発明の種々の実施形態に係る方法、装置（システム）およびコンピュータプログラム製品のフローチャート図および／またはブロック図を参照して、本明細書で説明される。フローチャート図および／またはブロック図のそれぞれのブロック、ならびにフローチャート図および／またはブロック図中のブロックの組み合わせが、コンピュータ読取可能プログラム命令によって実行され得ることが理解されよう。
【００２３】
これらのコンピュータ読取可能プログラム命令は、汎用コンピュータ、専用コンピュータまたは他のプログラム可能データ処理装置のプロセッサに提供されてコンピュータ機器となる。その結果、コンピュータのプロセッサまたは他のプログラム可能データ処理装置を介して実行される複数の命令によって、フローチャートおよび／もしくはブロック図、または複数のブロック中に記載された複数の機能／作用を実行するための手段が作られる。これらのコンピュータ読取可能プログラム命令はまた、コンピュータ、プログラム可能データ処理装置、および／または他の複数の装置に対し、特定の方法で機能するように指示することができるコンピュータ読取可能記憶媒体に記憶することができる。その結果、命令が記憶されている前記コンピュータ読取可能記憶媒体は、フローチャートおよび／またはブロック図、または複数のブロック中に記載された機能／作用の種々の態様を実行する複数の命令を有する製品を含む。
【００２４】
前記コンピュータ読取可能プログラム命令はまた、コンピュータ、他のプログラム可能データ処理装置または他の装置にロードされることで、一連の操作手順が前記コンピュータ、他のプログラム可能装置または他の装置で行われて、コンピュータにより実行されるプロセスが生じる。その結果、コンピュータ、他のプログラム可能装置または他の装置で実行される複数の命令によって、フローチャートおよび／またはブロック図または複数のブロック中に記載された複数の機能／作用が実行される。
【００２５】
図中のフローチャートおよびブロック図は、本発明の種々の実施形態に係る装置、方法およびコンピュータプログラム製品について考えられる実施形態における構造、機能および操作を示すものである。ここで、フローチャートまたはブロック図中のそれぞれのブロックは、モジュール、セグメントまたは複数の命令の一部を示し、それらは特定の論理関数を実行する１または複数の実行可能な命令を含む。いくつかの代替実施形態においては、ブロック中に記された機能が、図に記された順番通りに生じなくてもよい。例えば、連続して示される２つのブロックは、実際は、ほぼ同時に実行してもよいし、または関連する機能によっては、前記２つのブロックが時には逆順で実行されてもよい。ブロック図および／またはフローチャートの各ブロック、およびブロック図および／またはフローチャート中のブロックの組み合わせは、特定の機能もしくは作用を実行、または専用のハードウェアとコンピュータ命令との組み合わせを実行する専用のハードウェアベースの装置によって実行され得ることを留意されたい。
【００２６】
最後に、本明細書で使用される専門用語は、特定の実施形態だけを説明するものであり、本発明を限定することを意図するものではない。本明細書で使用されるように、単数形の「ａ」、「ａｎ」および「ｔｈｅ」は、文脈上、単数形に限定することが明確に示されていない限り、複数形も含むものとする。用語「ｃｏｍｐｒｉｓｅｓ」および／または  「ｃｏｍｐｒｉｓｉｎｇ」は、本明細書で使用される場合、記載されている特徴、整数、手順、操作、要素および／または構成要素の存在を特定するが、１または複数の他の特徴、整数、手順、操作、要素、構成要素および／またはそれらの集合の存在または追加を排除しないことが、さらに理解されよう。
【００２７】
下記のクレーム中のすべての手段またはステップに機能を書き加えたクレーム要素の対応する構造、材料、作用および同等物は、特定してクレームされた他のクレーム要素と組み合わせて前記機能を実行するための任意の構造、材料または作用を含むものとする。本発明の明細書は、図解および説明のために提示されたが、網羅することを意図するものではなく、また開示された形態の発明に限定されない。本発明の範囲および趣旨から逸脱することなく、多くの変更および変形が当業者に明らかとなろう。本発明の原理および実際の応用を最も良く説明するために、また、他の当業者が本発明を理解することができるように、特定の用途に適するように様々な変更が施された種々の実施形態の代わりに、本実施形態を選択して説明した。
【００２８】
このように本願の発明について詳細に、かつ本発明の種々の実施形態を参照して説明がされたので、以下の添付のクレームに規定された本発明の範囲から逸脱することなく、変更および変形が可能であることが明らかとなろう。
【図１】
2018028898.tif 000003
【図２】
2018028898.tif 000004
【図３】
2018028898.tif 000005
【図４】
2018028898.tif 000006
【外国語明細書】
2018028898000001.pdf